(57)【要約】【課題】ネットワークスキャンにおけるドライバやインストールプログラムを必要とすること無く、当該ネットワークスキャンの設定を簡単に行うことが可能な複合機１００を提供する。【解決手段】所定の記憶媒体が自装置の記憶媒体装着部に装着されると、前記端末装置で実行された場合に、当該端末装置がフォルダを作成するとともに、当該フォルダに対応する送信先識別情報を自装置に送信する設定プログラムを前記記憶媒体に記憶させる設定プログラム制御手段４０２と、前記設定プログラムの実行により前記端末装置から前記送信先識別情報を受信すると、当該送信先識別情報に対応する端末装置のフォルダを画像データの送信先と設定する送信先設定手段４０７と、前記端末装置から画像データの送信命令を受信すると、前記設定された端末装置のフォルダに画像データを送信する画像データ送信手段４０８とを備える複合機１００を提供する。【選択図】図４
2014068201.tif 000002
【特許請求の範囲】
【請求項１】
ネットワークを介して所定の端末装置に通信可能に接続された画像処理装置において、
所定の記憶媒体が自装置の記憶媒体装着部に装着されると、前記端末装置で実行された場合に、当該端末装置が画像データを保存可能なフォルダを作成するとともに、当該フォルダを前記ネットワーク上で特定可能な送信先識別情報を前記自装置に送信する設定プログラムを前記記憶媒体に記憶させる設定プログラム制御手段と、
前記設定プログラムの実行により前記端末装置から前記送信先識別情報を受信すると、当該送信先識別情報に対応する端末装置のフォルダを画像データの送信先と設定する送信先設定手段と、
前記端末装置から画像データの送信命令を受信すると、前記設定された端末装置のフォルダに画像データを送信する画像データ送信手段と
を備えることを特徴とする画像処理装置。
【請求項２】
前記フォルダが、前記ネットワークに接続された端末装置又は自装置で閲覧可能な共有フォルダである
請求項１に記載の画像処理装置。
【請求項３】
前記設定プログラム制御手段は、前記記憶媒体が自装置の記憶媒体装着部に装着されると、前記設定プログラムを前記記憶媒体に記憶させるか否かを問い合わせる設定プログラム画面を操作部に表示させ、前記記憶させる旨のキーが押されると、前記設定プログラムを前記記憶媒体に記憶させる
請求項１又は２に記載の画像処理装置。
【請求項４】
ネットワークを介して所定の画像処理装置と、所定の端末装置とが通信可能に接続されたネットワークスキャンシステムにおいて、
前記画像処理装置は、所定の記憶媒体が自装置の記憶媒体装着部に装着されると、前記端末装置で実行された場合に、当該端末装置が画像データを保存可能なフォルダを作成するとともに、当該フォルダを前記ネットワーク上で特定可能な送信先識別情報を前記自装置に送信する設定プログラムを前記記憶媒体に記憶させる設定プログラム制御手段と、
前記設定プログラムの実行により前記端末装置から前記送信先識別情報を受信すると、当該送信先識別情報に対応する端末装置のフォルダを画像データの送信先と設定する送信先設定手段と、
前記端末装置から画像データの送信命令を受信すると、前記設定された端末装置のフォルダに画像データを送信する画像データ送信手段と
を備え、
前記端末装置は、前記記憶媒体に記憶された設定プログラムが実行されると、前記フォルダを作成するとともに、前記画像処理装置に前記送信先識別情報を送信する端末装置制御手段を備える
ことを特徴とするネットワークスキャンシステム。
【請求項５】
ネットワークを介して所定の端末装置に通信可能に接続された画像処理装置の画像処理方法において、
所定の記憶媒体が前記画像処理装置の記憶媒体装着部に装着されると、前記端末装置で実行された場合に、当該端末装置が画像データを保存可能なフォルダを作成するとともに、当該フォルダを前記ネットワーク上で特定可能な送信先識別情報を前記画像処理装置に送信する設定プログラムを前記記憶媒体に記憶させるステップと、
前記設定プログラムの実行により前記端末装置から前記送信先識別情報を受信すると、当該送信先識別情報に対応する端末装置のフォルダを画像データの送信先と設定するステップと、
前記端末装置から画像データの送信命令を受信すると、前記設定された端末装置のフォルダに画像データを送信するステップと
を備えることを特徴とする画像処理方法。
【請求項６】
請求項５に記載の画像処理方法をコンピュータに実行させるためのプログラム。
【請求項７】
請求項６に記載のプログラムを記憶したコンピュータに読み取り可能な記憶媒体。
【発明の詳細な説明】
【技術分野】
【０００１】
本発明は、画像処理装置及び画像処理方法に関し、詳しくは、ネットワークスキャンにおけるドライバやインストールプログラムを必要とすること無く、当該ネットワークスキャンの設定を簡単に行うことが可能な画像処理装置及び画像処理方法に関する。
【背景技術】
【０００２】
近年、パーソナルコンピュータ（以下「パソコン」という。）やワークステーションのネットワーク化が進み、その中で、ネットワークスキャナとパソコンとをネットワークで接続するネットワークスキャナシステムが構築されている。
【０００３】
従来のネットワークスキャナシステムでは、ネットワークを介してネットワークスキャナに予め接続されるパソコンにスキャナドライバをインストールしておき、原稿読取時には、パソコンが、ネットワークを介してネットワークスキャナに接続し、読取モードを指定すると、ネットワークスキャナが原稿を読み取って画像データをパソコンへ送信し、パソコンが、ネットワークスキャナから受信した画像データに必要に応じて処理を施し、読出元のアプリケーションに出力している。
【０００４】
しかしながら、従来のネットワークスキャナ及びネットワークスキャナシステムは、スキャナに対する読取指示や、スキャン結果の画像データ処理を、パソコン側で行うため、ユーザは、スキャナドライバをパソコンにインストールしなければ、ユーザの指示に応じて処理したスキャンデータをパソコンのアプリケーションに出力させることが出来ない。そのため、ネットワークを介して複数のパソコンをネットワークスキャナに接続してネットワークシステムを構築する場合、各々のパソコンにスキャナドライバをインストールしなければならず、手間がかかって面倒であるという問題があった。又、ユーザにとって、スキャナドライバ（インストールプログラム）の取得及び管理が面倒であるという問題があった。
【０００５】
又、従来のネットワークスキャナでは、ユーザが、パソコン側で、前記画像データの送信先（つまり、パソコンの所定の保存先）を設定する必要があり、その設定操作もユーザにとって手間がかかるという問題があった。
【０００６】
このような問題に対して、例えば、特開２００７−１７４４４４号公報（特許文献１）には、ネットワークに接続されており、読取手段によって原稿を読み取るネットワークスキャナが開示されている。前記ネットワークスキャナは、ネットワークフォルダであり、指示データが置かれる指示データ記憶フォルダと、前記指示データ記憶フォルダから指示データを読み出す指示データ読出手段と、前記指示データ読出手段が前記指示データ記憶フォルダから読み出した指示データに従って、前記読取手段に原稿を読み取らせる読取制御手段とを備える。又、前記ネットワークスキャナは、ネットワークフォルダであり、前記読取手段が前記指示データに従って読み取ったスキャンデータを記憶する画像記憶フォルダと、前記読取制御手段が前記指示データに従って前記読取手段に原稿を読み取らせることにより取得したスキャンデータを、前記画像記憶フォルダに記憶させる画像記憶制御手段とを備える。これにより、スキャナドライバを端末にインストールしなくても、ユーザの指示に応じて処理したスキャンデータを端末に取得させることが出来るとしている。
【０００７】
又、特開２００７−１１７９９号公報（特許文献２）には、外部記憶装置を接続するための接続手段と、ドライバソフト、このドライバソフトを情報処理装置にインストールするための自動インストールプログラム、及びデバイス固有情報を記憶する記憶手段と、前記接続手段に接続された外部記憶装置に、前記記憶手段に記憶されている前記ドライバソフト、自動インストールプログラム、及びデバイス固有情報を書き込むデータ書き込み手段とを備えたデバイス装置が開示されている。これにより、情報処理装置にドライバソフトを簡単にインストールすることが出来るとともに、固有情報に含まれるデバイス装置のネットワークアドレス等も簡単に設定することが出来るとしている。又、ドライバソフト、自動インストールプログラム、及びデバイス固有情報は、デバイスの記憶手段に記憶されていたものであるから、デバイスとドライバソフトやネットワークアドレス等との対応関係を間違えることがなく、対象デバイスについてのドライバソフトやネットワークアドレス等を確実にインストール出来、設定出来るとしている。
【０００８】
又、特開平７−２７１５６０号公報（特許文献３）には、少なくとも１つのファイルを有する実行プログラム部、その実行プログラム部のファイルのコピーをするインストール処理をするためのコードが記述されているインストール機能部およびその実行プログラム部が実行可能な環境設定処理をするためのコードが記述されているセットアップ機能部を含む実行形式のプログラムを格納する記憶手段を備える動作環境設定装置が開示されている。前記動作環境設定装置は、前記記憶手段から前記実行プログラム部および前記インストール機能部を読み出し、前記インストール機能部のコードに基づき前記実行プログラム部のインストール処理を行うインストール手段と、前記記憶手段から前記セットアップ機能部を読み出し、前記セットアップ機能部のコードに基づき前記実行プログラム部を実行可能とするための環境設定処理を行うセットアップ手段とを備える。これにより、ユーザによるインストール作業およびセットアップ作業を行うことなく、実行形式のプログラムが実行可能な動作環境を設定することが出来るとしている。
【０００９】
又、特開２００８−２３４４３８号公報（特許文献４）には、第１のパソコンのネットワーク設定情報をリムーバブル記憶媒体を介して第２のパソコンに設定するためのネットワーク設定プログラムが開示されている。前記ネットワーク設定プログラムは、第１のパソコンに、自身に設定されたネットワーク設定情報を、自身に接続されたリムーバブル記憶媒体へ保存させ、第２のパソコンに、自身に接続され、かつ上記第１のパソコンのネットワーク設定情報を保存したリムーバブル記憶媒体から、この保存されたネットワーク設定情報を読み取らせるとともに、この読み取ったネットワーク設定情報を、自身のネットワーク設定情報として設定させる。これにより、ユーザは、難しいパソコンの知識を要さずに、簡易にインターネット接続、メール接続などの各種ネットワーク設定をすることが可能となるとしている。
【先行技術文献】
【特許文献】
【００１０】
【特許文献１】特開２００７−１７４４４４号公報
【特許文献２】特開２００７−１１７９９号公報
【特許文献３】特開平７−２７１５６０号公報
【特許文献４】特開２００８−２３４４３８号公報
【発明の概要】
【発明が解決しようとする課題】
【００１１】
しかしながら、前記特許文献１に記載の発明では、端末やネットワークについての知識が無いユーザには、所定の指示データを作成すること自体が難しいという問題がある。又、前記特許文献２に記載の発明では、ドライバソフトや自動インストールプログラムのインストールにより情報処理装置に不具合が生じる可能性がある。又前記情報処理装置がＤＨＣＰ（Dynamic Host Configuration Protocol）で前記ネットワークアドレスを動的に設定している場合には、当該ネットワークアドレスを含むデバイス固有情報を変更しなおす必要があるという問題がある。
【００１２】
更に、前記特許文献１−４に記載の発明では、ネットワークスキャンにおけるドライバやインストールプログラムを不要とする問題を解決することが出来ない。
【００１３】
そこで、本発明は、前記問題を解決するためになされたものであり、ネットワークスキャンにおけるドライバやインストールプログラムを必要とすること無く、当該ネットワークスキャンの設定を簡単に行うことが可能な画像処理装置及び画像処理方法を提供することを目的とする。
【課題を解決するための手段】
【００１４】
上述した課題を解決し、目的を達成するために、本発明に係る画像処理装置は、ネットワークを介して所定の端末装置に通信可能に接続された画像処理装置を前提とし、以下の構成を採用する。
【００１５】
即ち、前記画像処理装置は、所定の記憶媒体が自装置の記憶媒体装着部に装着されると、前記端末装置で実行された場合に、当該端末装置が画像データを保存可能なフォルダを作成するとともに、当該フォルダを前記ネットワーク上で特定可能な送信先識別情報を前記自装置に送信する設定プログラムを前記記憶媒体に記憶させる設定プログラム制御手段を備える。又、前記画像処理装置は、前記設定プログラムの実行により前記端末装置から前記送信先識別情報を受信すると、当該送信先識別情報に対応する端末装置のフォルダを画像データの送信先と設定する送信先設定手段と、前記端末装置から画像データの送信命令を受信すると、前記設定された端末装置のフォルダに画像データを送信する画像データ送信手段とを備えることを特徴とする。
【００１６】
又、前記フォルダが、前記ネットワークに接続された端末装置又は自装置で閲覧可能な共有フォルダであるよう構成することが出来る。
【００１７】
又、前記設定プログラム制御手段は、前記記憶媒体が自装置の記憶媒体装着部に装着されると、前記設定プログラムを前記記憶媒体に記憶させるか否かを問い合わせる設定プログラム画面を操作部に表示させ、前記記憶させる旨のキーが押されると、前記設定プログラムを前記記憶媒体に記憶させるよう構成とすることが出来る。
【００１８】
又、本発明は、ネットワークを介して所定の画像処理装置と、所定の端末装置とが通信可能に接続されたネットワークスキャンシステムとして構成することが出来る。前記ネットワークスキャンシステムでは、前記画像処理装置は、所定の記憶媒体が自装置の記憶媒体装着部に装着されると、前記端末装置で実行された場合に、当該端末装置が画像データを保存可能なフォルダを作成するとともに、当該フォルダを前記ネットワーク上で特定可能な送信先識別情報を前記自装置に送信する設定プログラムを前記記憶媒体に記憶させる設定プログラム制御手段と、前記設定プログラムの実行により前記端末装置から前記送信先識別情報を受信すると、当該送信先識別情報に対応する端末装置のフォルダを画像データの送信先と設定する送信先設定手段と、前記端末装置から画像データの送信命令を受信すると、前記設定された端末装置のフォルダに画像データを送信する画像データ送信手段とを備える。前記前記端末装置は、前記記憶媒体に記憶された設定プログラムが実行されると、前記フォルダを作成するとともに、前記画像処理装置に前記送信先識別情報を送信する端末装置制御手段を備えることを特徴とする。
【００１９】
又、本発明は、ネットワークを介して所定の端末装置に通信可能に接続された画像処理装置の画像処理方法として提供することが出来る。
【００２０】
即ち、前記画像処理方法は、所定の記憶媒体が前記画像処理装置の記憶媒体装着部に装着されると、前記端末装置で実行された場合に、当該端末装置が画像データを保存可能なフォルダを作成するとともに、当該フォルダを前記ネットワーク上で特定可能な送信先識別情報を前記画像処理装置に送信する設定プログラムを前記記憶媒体に記憶させるステップを備える。又、前記画像処理方法は、前記設定プログラムの実行により前記端末装置から前記送信先識別情報を受信すると、当該送信先識別情報に対応する端末装置のフォルダを画像データの送信先と設定するステップと、前記端末装置から画像データの送信命令を受信すると、前記設定された端末装置のフォルダに画像データを送信するステップとを備えることを特徴とする。このような構成であっても、上述と同様の効果を得ることが可能となる。
【００２１】
又、本発明は、電気通信回線などを介して個別に流通する、コンピュータに実行させるためのプログラムとして提供することができる。この場合、中央演算処理装置（ＣＰＵ）が、本発明のプログラムに従ってＣＰＵ以外の各回路と協働して制御動作を実現する。又、前記プログラム及びＣＰＵを用いて実現される各手段は、専用のハードウェアを用いて構成することもできる。又、当該プログラムは、ＣＤ−ＲＯＭなどのコンピュータ読み取り可能な記録媒体に記録された状態で流通させることも可能である。
【発明の効果】
【００２２】
本発明の画像処理装置及び画像処理方法によれば、ネットワークスキャンにおけるドライバやインストールプログラムを必要とすること無く、当該ネットワークスキャンの設定を簡単に行うことが可能となる。
【図面の簡単な説明】
【００２３】
【図１】本発明に係る複合機の内部の全体構成を示す概念図である。
【図２】本発明に係る操作部の全体構成を示す概念図である。
【図３】本発明に係る複合機の制御系ハードウェアの構成を示す図である。
【図４】本発明の実施形態における複合機の機能ブロック図である。
【図５】本発明の実施形態の実行手順を示すための第一のフローチャートである。
【図６】本発明の実施形態の実行手順を示すための第二のフローチャートである。
【図７】本発明の実施形態のタッチパネル上に表示された設定プログラム画面の一例を示す図（図７（Ａ））と、本発明の実施形態の設定プログラム画面上に表示されたメッセージの一例を示す図（図７（Ｂ））である。
【図８】本発明の実施形態の液晶ディスプレイ上に表示されたＵＳＢメモリのフォルダの一例を示す図（図８（Ａ））と、本発明の実施形態のＵＳＢメモリのフォルダ上に表示された共有フォルダの一例を示す図（図８（Ｂ））である。
【図９】本発明の実施形態の共有フォルダ上に表示されたメッセージの一例を示す図（図９（Ａ））と、本発明の実施形態の共有フォルダに画像データが保存され、その上に表示されたメッセージの一例を示す図（図９（Ｂ））である。
【発明を実施するための形態】
【００２４】
以下に、添付図面を参照して、本発明の画像処理装置の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００２５】
＜画像処理装置＞
以下に、本発明の実施形態に係る画像処理装置について説明する。図１は、本発明の実施形態に係る画像処理装置の概略模式図である。但し、本発明に直接には関係しない各部の詳細は省略している。
【００２６】
尚、本発明の画像処理装置は、例えば、プリンタやスキャナ単体、あるいはプリンタ、コピー、スキャナ、ファックス等を備えた複合機等が該当し、コピー機能、スキャナ機能、ファクシミリ機能、プリンタ機能等を備えた画像処理装置として機能する。
【００２７】
以下に、例えば、コピー機能を利用する場合の複合機１００（ＭＦＰ：Ｍｕｌｔｉ  Ｆｕｎｃｔｉｏｎ  Ｐｅｒｉｐｈｅｒａｌ）の動作を簡単に説明する。
【００２８】
先ず、ユーザが複合機１００を利用する場合、原稿を筐体部の上面に備えられている原稿台１０１に載置する。続いて、ユーザは、前記原稿台１０１近傍に備えられている操作部１０２（操作パネル）を使用して、画像形成に関する設定条件の入力を当該操作部１０２の操作画面から入力する。そして、ユーザが、前記操作部１０２に設けられたスタートキーを押下すると、複合機１００が画像形成（印刷処理）を開始する。
【００２９】
次に、画像読取部１０３において、光源１０４から照射された光が、前記原稿台１０１に置かれた原稿に反射される。反射された光は、ミラー１０５、１０６、１０７によって撮像素子１０８に導かれる。導かれた光は前記撮像素子１０８により光電変換されて、前記原稿に対応する画像データが生成される。
【００３０】
ここで、前記生成された画像データは、下記のように即時に画像形成に使用される場合もあれば、前記スキャナ機能により、所定の内部メモリ（記憶媒体）に一時的に記憶されたり、前記ネットワークスキャン機能（通信部２００）により、ネットワーク３００を介して通信可能に接続された所定の端末装置３００ａに送信されたりする。
【００３１】
さて、前記画像データに基づいてトナー像を形成する部分が画像形成部１０９である。前記画像形成部１０９には感光体ドラム１１０が備えられている。前記感光体ドラム１１０は、一定速度で所定の方向に回転し、その周囲には、回転方向の上流側から順に、帯電器１１１、露光ユニット１１２、現像器１１３、転写器１１４、クリーニングユニット１１５などが配置されている。
【００３２】
前記帯電器１１１は、前記感光体ドラム１１０表面を一様に帯電させる。前記露光ユニット１１２は、帯電された感光体ドラム１１０の表面に、前記画像データに基づいてレーザーを照射し、静電潜像を形成する。前記現像器１１４は、形成された静電潜像に、トナーを付着させてトナー像を形成する。形成されたトナー像は、前記転写器１１４により、記録媒体（例えば、用紙、シート）に転写される。前記クリーニングユニット１１５は、前記感光体ドラム１１０の表面に残された余分なトナーを取り除く。これらの一連のプロセスは、前記感光体ドラム１１０が回転することにより実行される。
【００３３】
前記シートは、複合機１００に備えられた複数の給紙カセット１１６から搬送される。搬送される時は、前記シートは、ピックアップローラ１１７により何れか１つの給紙カセット１１６から搬送路へ引き出される。各給紙カセット１１６には、それぞれ異なる紙種のシートが収容されており、画像形成に関する設定条件に基づいてシートが給紙される。
【００３４】
搬送路に引き出されたシートは、搬送ローラ１１８やレジストローラ１１９により感光体ドラム１１０と転写器１１４の間に送り込まれる。送り込まれると、前記シートは前記転写器１１４により前記トナー像が転写され、定着装置１２０に搬送される。
【００３５】
前記トナー像が転写されたシートが、前記定着装置１２０に備えられた加熱ローラと加圧ローラの間を通過すると、前記トナー像に熱と圧力が印加されて、可視像がシートに定着される。前記加熱ローラの熱量は、紙種に応じて最適に設定され、前記定着が適切に行われる。前記可視像がシートに定着されて画像形成が終了し、当該シートは搬送ローラ１１８により、経路切替部１２１へ導かれる。
【００３６】
前記経路切替部１２１では、前記複合機１００による切り替え指示により、前記シートを、前記筐体部の側面に設けられた排紙トレイ１２２へ案内したり、排紙口１２３を介して、前記筐体部の胴内に設けられた胴内トレイ１２４へ案内したりする。前記シートは、前記排紙トレイ１２２か胴内トレイ１２４に積載され、収容される。前記手順により、複合機１００の筐体部はコピー機能をユーザに提供する。
【００３７】
ところで、前記コピー機能以外の場合、例えば、ネットワークスキャンの場合は、前記読み取られた画像データが、通信部２００により、ネットワーク３００を介して所定の送信先の端末装置３００ａに送信される。ここで、前記端末装置３００ａは、例えば、一般的なパーソナルコンピュータ、ノートパソコン、携帯端末等であり、所定の通信識別情報（例えば、ＩＰアドレス）によりネットワーク上で一義的に特定される。
【００３８】
ここで、前記ネットワークスキャンを利用する場合、ユーザが、携帯可能な所定のＵＳＢメモリ１２５（記憶媒体）を、前記複合機１００のＵＳＢ装着部１２６（ＵＳＢ差込口）に装着して、当該複合機１００に予め記憶された所定の設定プログラムを前記ＵＳＢメモリ１２５に記憶させる。次に、ユーザが、前記ＵＳＢメモリ１２５を前記複合機１００のＵＳＢ装着部１２６から取り外し、当該複合機１００にネットワーク３００を介して接続された端末装置３００ａのＵＳＢ装着部３００ａ１に前記ＵＳＢメモリ１２５を装着して、前記設定プログラムを前記端末装置３００ａで実行させる。これにより、前記複合機１００と前記端末装置３００ａとの通信設定が行われ、当該複合機１００から所定の画像データが前記端末装置３００ａに送信され、ネットワークスキャンが行われる（後述する）。
【００３９】
図２は、本発明の実施形態に係る操作部の全体構成を示す概念図である。ユーザは、前記操作部１０２を用いて、上述のような画像形成についての設定条件を入力したり、入力された設定条件を確認したりする。前記設定条件が入力される場合、前記操作部１０２に備えられたタッチパネル２０１（操作パネル）、タッチペン２０２、操作キー２０３が用いられる。
【００４０】
前記タッチパネル２０１には、設定条件を入力する機能と当該設定条件を表示する機能が兼ね備えられている。即ち、タッチパネル２０１上に表示された画面内のキーを押下することによって、当該押下されたキーに対応する設定条件が入力される。
【００４１】
前記タッチパネル２０１の背面には、ＬＣＤ（Ｌｉｑｕｉｄ  Ｃｒｙｓｔａｌ  Ｄｉｓｐｌａｙ）等の表示部（図示せず）が設けられており、当該表示部が、例えば、前記初期画面等の操作画面を表示する。前記タッチパネル２０１の近傍には、タッチペン２０２が備えられており、ユーザがそのタッチペン２０２の先をタッチパネル２０１に接触させると、タッチパネル２０１下に設けられたセンサーが接触先を検知する。
【００４２】
更に、前記タッチパネル２０１近傍には、所定数の操作キー２０３が設けられ、例えば、テンキー２０４、スタートキー２０５、クリアキー２０６、ストップキー２０７、リセットキー２０８、電源キー２０９が備えられている。
【００４３】
次に、図３を用いて、複合機１００の制御系ハードウェアの構成を説明する。図３は、本発明に係る複合機１００の制御系ハードウェアの構成を示す図である。ただし、本発明に直接には関係しない各部の詳細は省略している。
【００４４】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、ＵＳＢ装着部３０５（１２６）、各駆動部に対応するドライバ３０６、操作部３０７（１０２）、通信インターフェイス３０８（２００）を内部バス３０９によって接続している。
【００４５】
前記ＣＰＵ３０１は、例えば、ＲＡＭ３０３を作業領域として利用し、前記ＲＯＭ３０２、ＨＤＤ３０４等に記憶されているプログラムを実行し、当該実行結果に基づいて前記ドライバ３０６と前記操作部３０７からのデータや指示、キーに対応する信号、命令等を授受し、前記図１に示した各駆動部の動作を制御する。又、前記ＵＳＢ装着部３０５は、記憶電子回路、例えば、フラッシュメモリ等が搭載されたＵＳＢメモリ１２５が装着されると、前記ＣＰＵ３０１が、所定のデータを当該ＵＳＢメモリ１２５の内部のフラッシュメモリに記憶させる。又、前記通信インターフェイス３０８は、ネットワーク３００を介して所定の端末装置３００ａと接続しており、前記ＣＰＵ３０１は、前記通信インターフェイス３０８を介して前記端末装置３００ａに画像データを送信する。
【００４６】
又、前記駆動部以外の後述する各手段（図４に示す）についても、前記ＣＰＵ３０１がプログラムを実行することで当該各手段を実現する。前記ＲＯＭ３０２、ＨＤＤ３０４等には、以下に説明する各手段を実現するプログラムやデータが記憶されている。
【００４７】
又、前記端末装置３００ａには、前記複合機１００の制御回路と同様に、図示しないＣＰＵ、ＲＡＭ、ＲＯＭ等を搭載しており、これらは、上述と同様の機能を有する。又、前記端末装置３００ａにも、ＵＳＢ装着部３００ａ１が設けられ、前記ＵＳＢメモリ１２５が当該ＵＳＢ装着部３００ａ１に装着されると、当該端末装置３００ａで前記ＵＳＢメモリ１２５の内部のフラッシュメモリのデータを読み取ったり、所定のプログラムを実行したりすることが出来る。
【００４８】
＜本発明の実施形態＞
次に、図４−図６を参照しながら、本発明の実施形態に係る構成及び実行手順について説明する。図４は、本発明の複合機の機能ブロック図である。又、図５、図６は、本発明の実行手順を示すためのフローチャートである。
【００４９】
先ず、ユーザが、ネットワーク３００を介して所定の端末装置３００ａと通信可能に接続された複合機１００の電源を投入し、自己所有のＵＳＢメモリ１２５を前記複合機１００のＵＳＢ装着部１２６に装着すると（図５：Ｓ１０１ＹＥＳ）、当該複合機１００のＵＳＢ検知手段４０１が、当該ＵＳＢメモリ１２５の装着を検知して、その旨を設定プログラム制御手段４０２に通知する。当該通知を受けた設定プログラム制御手段４０２は、前記複合機１００の操作部１０２を制御する表示受付手段４０３に、所定の設定プログラム（後述する）をＵＳＢメモリ１２５に記憶させるか否かを問い合わせる設定プログラム画面を表示させる（図５：Ｓ１０２）。これを受けて、前記表示受付手段４０３は、前記設定プログラム画面をタッチパネル２０１上に表示する。
【００５０】
前記設定プログラム画面７００には、図７（Ａ）に示すように、前記ＵＳＢメモリ１２５が装着された旨のメッセージ７０１と、前記ＵＳＢメモリ１２５に設定プログラムを書き込むか否かを問い合わせる旨のメッセージ７０２と、前記書き込むに対応するＯＫキー７０３と、前記書き込まないに対応するキャンセルキー７０４とが表示される。
【００５１】
ユーザは、前記設定プログラム画面７００を見ながら、前記キャンセルキー７０４を押下した場合は、前記表示受付手段４０３が、当該キャンセルキー７０４の押下を受け付けて（図５：Ｓ１０３ＮＯ）、その旨を設定プログラム制御手段４０２に通知する。当該通知を受けた設定プログラム制御手段４０２は、前記キャンセルキー７０４に対応して何ら処理することなく、前記表示受付手段４０３に、例えば、コピー機能の設定条件を入力するための所定の初期画面をタッチパネル２０１上に表示させる。この場合は、これで全ての処理が完了する。
【００５２】
一方、ユーザが、前記ＯＫキー７０３を押下した場合は、前記表示受付手段４０３が、当該ＯＫキー７０３の押下を受け付け（図５：Ｓ１０３ＹＥＳ）、その旨を設定プログラム制御手段４０２に通知し、当該通知を受けた設定プログラム制御手段４０２は、前記端末装置３００ａで実行された場合に、当該端末装置３００ａが画像データを保存可能なフォルダを作成するとともに、当該フォルダを前記ネットワーク３００上で特定可能な送信先識別情報を前記複合機１００（自装置）に送信する設定プログラムを前記ＵＳＢメモリ１２５に記憶させる（図５：Ｓ１０４）。
【００５３】
具体的には、前記設定プログラム制御手段４０２が、設定プログラム記憶手段４０４に予め記憶された前記設定プログラムを読み出して、当該読み出した設定プログラムを前記ＵＳＢ装着部１２６を介して前記ＵＳＢメモリ１２５のＵＳＢ記憶手段４０５（例えば、内部のフラッシュメモリ等）に記憶させる。
【００５４】
ここで、前記設定プログラムは、一般的な端末装置３００ａであれば実行可能なプログラムである。又、前記フォルダは、前記画像データが保存（記憶）可能なフォルダであれば、どのようなフォルダでも構わないが、例えば、ネットワーク３００に接続された端末装置３００ａ、複合機１００であれば閲覧可能な共有フォルダであると、ネットワークスキャナにおいて、前記複合機１００から前記端末装置３００ａに所定の画像データが送信された場合に、ユーザが、当該端末装置３００ａや前記複合機１００で当該画像データを確認することが可能となるため、好ましい。
【００５５】
又、前記送信先識別情報は、前記端末装置３００ａのフォルダをネットワーク上３００で特定可能な情報であれば、どのような情報でも構わないが、例えば、前記端末装置３００ａのＩＰアドレス、ホスト名、ネットワーク情報、サーバー情報、サーバー名、フォルダ名、アドレス帳等が挙げられる。
【００５６】
尚、前記設定プログラムには、前記ネットワーク３００上で前記複合機１００（自装置）を特定可能な送信元識別情報が、当然に予め登録（設定）されており、当該送信元識別情報は、例えば、前記複合機１００のＩＰアドレス、ホスト名、ネットワーク情報、サーバー情報、サーバー名、ポート情報等が挙げられる。
【００５７】
さて、前記設定プログラム制御手段４０２が前記設定プログラムをＵＳＢメモリ１２５のＵＳＢ記憶手段４０５に記憶させると、その旨を表示受付手段４０３に通知し、当該通知を受けた表示受付手段４０３は、図７（Ｂ）に示すように、前記設定プログラム画面７００の前面に、前記設定プログラムの記憶完了のメッセージ７０６と、ＯＫキー７０７とが表示される。
【００５８】
ユーザは、前記メッセージ７０６を確認して、前記ＯＫキー７０７を押下すると、前記表示受付手段４０３が、当該ＯＫキー７０７の押下を受け付けて、その旨を前記設定プログラム制御手段４０２に通知し、当該設定プログラム制御手段４０２は、後述する前記送信先識別情報を受信可能な状態となる。又、前記表示受付手段４０３は、前記ＵＳＢ装着部１２６のＵＳＢメモリ１２５を装着可能な状態とし、これに対して、ユーザは、前記ＵＳＢメモリ１２５を複合機１００のＵＳＢ装着部１２６から脱離させて（図５：Ｓ１０５）、前記設定プログラムの記憶を完了する。
【００５９】
さて、次に、ユーザは、前記設定プログラムが記憶されたＵＳＢメモリ１２５を、所定の端末装置３００ａ（例えば、自己所有の端末装置）に持って行き、当該端末装置３００ａに電源を投入し、当該端末装置３００ａのＵＳＢ装着部３００ａ１に前記ＵＳＢメモリ１２５を装着すると、前記端末装置３００ａの端末装置制御手段４０６が、当該ＵＳＢメモリ１２５の装着を検知して（図６：Ｓ２０１ＹＥＳ）、当該ＵＳＢメモリ１２５のＵＳＢ記憶手段４０５を参照する。そして、前記端末装置制御手段４０６は、前記ＵＳＢ記憶手段４０５に記憶されたＵＳＢメモリ１２５のフォルダ（内部情報）を液晶ディスプレイに表示させる。
【００６０】
前記ＵＳＢメモリ１２５のフォルダ８００には、図８（Ａ）に示すように、前記設定プログラムの実行アイコン８０１が押下可能に表示される。
【００６１】
ユーザは、前記ＵＳＢメモリ１２５のフォルダ８００を見ながら、前記端末装置３００ａの図示しない操作部（例えば、キーボード、マウスなど）を用いて、例えば、前記液晶ディスプレイのカーソル８０２を前記設定プログラムの実行アイコン８０１上に持って行き、当該カーソル８０２をダブルクリックして、当該実行アイコン８０１を押下すると、前記設定プログラムの実行指示が入力されて、前記端末装置制御手段４０６は、当該設定プログラムの実行指示の入力を受け付けて、当該設定プログラムを実行する（図６：Ｓ２０２ＹＥＳ）。
【００６２】
具体的には、前記端末装置制御手段４０６が、前記設定プログラムに従って、先ず、図８（Ｂ）に示すように、前記端末装置３００ａに新たな共有フォルダ８０３を作成する（図６：Ｓ２０３）。ここで、前記共有フォルダ８０３の名称は、例えば、前記設定プログラムに予め設定された名称「ネットワークスキャン共有フォルダ」と設定される。
【００６３】
次に、前記端末装置制御手段４０６が、前記共有フォルダ８０３と、前記端末装置３００ａのプロパティ等の情報から、当該共有フォルダ８０３に対応する送信先識別情報を収集する。
【００６４】
ここで、前記送信先識別情報には、上述したように、前記端末装置３００ａのＩＰアドレスや共有フォルダ８０３の名称「ネットワークスキャン共有フォルダ」の他に、前記端末装置３００ａの所有者（ユーザ）に関するユーザ情報（ユーザ氏名、ユーザＩＤ等）や当該端末装置３００ａのＯＳ（Ｏｐｅｒａｔｉｎｇ  Ｓｙｓｔｅｍ）の表示言語情報（日本語等）、国情報（日本国等）、前記ユーザ情報に関連付けられたネットワークスキャンの設定の初期値等が含まれる。そして、前記端末装置制御手段４０６は、前記設定プログラムに予め設定された前記複合機１００の送信元識別情報を宛先として、前記収集した送信先識別情報をネットワーク３００を介して当該複合機１００に送信する（図６：Ｓ２０４）。
【００６５】
一方、前記複合機１００の設定プログラム制御手段４０２は、前記送信先識別情報を受信可能な状態であり（図６：Ｓ２０５）、前記ネットワーク３００を介して、前記端末装置３００ａから前記送信先識別情報を受信すると（図６：Ｓ２０５ＹＥＳ）、その旨を送信先設定手段４０７に通知する。当該通知を受けた送信先設定手段４０７は、前記送信先識別情報に対応する端末装置３００ａの共有フォルダ８０３を画像データの送信先と設定する（図６：Ｓ２０６）。
【００６６】
これにより、ユーザは、前記複合機１００の画像データの送信先を設定することなく、前記ＵＳＢメモリ１２５の設定プログラムの実行により、その設定を自動的にすることが可能となる。そのため、前記設定する手間や時間を省略することが可能となる。
【００６７】
尚、前記送信先設定手段４０７が前記送信先の設定を完了すると、ネットワーク３００を介してその旨を端末装置制御手段４０６に通知し、当該通知を受けた端末装置制御手段４０６は、図９（Ａ）に示すように、前記共有フォルダ８０３の前面に、接続確認命令（画像データの送信命令に対応する）の送信を促す旨のメッセージ９００と、ＯＫキー９０１とを表示する（図６：Ｓ２０７）。又、前記送信先設定手段４０７は、前記接続確認命令を受信可能な状態となる。
【００６８】
次に、ユーザが、前記メッセージ９００を見ながら、前記ＯＫキー９０１を押下すると、前記端末装置制御手段４０６は、当該ＯＫキーの押下を受け付けて、前記複合機１００に前記接続確認命令を送信する（図６：Ｓ２０７ＹＥＳ）。そして、前記端末装置制御手段４０６は、画像データを受信可能な状態となる。
【００６９】
一方、前記複合機１００の送信先設定手段４０７は、前記接続確認命令を受信すると（図６：Ｓ２０８ＹＥＳ）、その旨を画像データ送信手段４０８に通知し、当該通知を受けた画像データ送信手段４０８は、前記設定された端末装置３００ａの共有フォルダ８０３に送信する（図６：Ｓ２０９）。
【００７０】
ここで、前記画像データは、例えば、最初に送信する画像データとして接続確認用の画像データが挙げられるが、ユーザが、前記複合機１００で予め設定した画像データであっても構わない。前記画像データは、例えば、図示しない画像データ記憶手段により予め記憶されることになる。尚、前記画像データの送信は、例えば、ＳＭＢ（Ｓｅｒｖｅｒ  Ｍｅｓｓａｇｅ  Ｂｌｏｃｋ）送信に対応する。
【００７１】
一方、前記端末装置３００ａの端末装置制御手段４０６は、前記画像データを受信すると、図９（Ｂ）に示すように、前記画像データ送信手段４０８により設定された共有フォルダ８０３を当該画像データ９０２の保存先として当該共有フォルダ８０３に前記画像データ９０２を保存（記憶）させる（図６：Ｓ２１０）。
【００７２】
これにより、前記複合機１００の画像データ９０２を前記端末装置３００ａの共有フォルダ８０３に記憶させることが可能となり、ネットワークスキャンが可能な状態となる。
【００７３】
尚、ここまでの処理において、ユーザは、従来からのドライバやインストールプログラムを一切用いていないことが理解される。そのため、ユーザは、前記ネットワークスキャンの設定を従来と比較して非常に簡単に行うことが可能となり、当該ネットワークスキャンの利便性を向上させることが可能となる。
【００７４】
又、前記端末装置制御手段４０６は、図９（Ｂ）に示すように、前記共有フォルダ８０３の前面に、画像データの受信の開始を促す旨のメッセージ９０３と、ＯＫキー９０４とを表示する。
【００７５】
ここで、ユーザが、前記ＯＫキー９０４を押下すれば、前記端末装置制御手段４０６が、当該ＯＫキー９０４の押下を受け付けて、前記ネットワーク３００を介して、その旨を前記画像データ送信手段４０８に通知し、当該通知を受けた画像データ送信手段４０８は、所定の画像データの送信を開始することになる。これにより、前記ネットワークスキャンの処理が本格的に実行されることになる。
【００７６】
このように、本発明では、前記設定プログラムの実行だけで行なわれているため、従来技術においてネットワークスキャンに必要なドライバやインストールプログラムが前記端末装置３００ａで不要となる。そのため、ユーザは、前記ドライバ等をネットワーク３００を介して取得したり管理したりする必要が無くなるため、ユーザに対する手間や作業時間を省略することが可能となる。
【００７７】
又、ネットワーク３００に関連する知識が乏しいユーザであっても、前記設定プログラムの実行だけで、前記ネットワークスキャンの設定が可能になるため、当該ネットワークスキャンの利便性を著しく向上させる。
【００７８】
又、上述したネットワークスキャンの設定は、前記端末装置３００ａで殆ど完了してしまうため、ユーザが当該ネットワークスキャンの設定のために前記複合機１００を所定時間独占することが無くなり、当該複合機１００の有効利用という点でも優れている。
【００７９】
このように、本発明の複合機１００は、所定のＵＳＢメモリ１２５が当該複合機１００のＵＳＢ装着部１２６に装着されると、前記端末装置３００ａで実行された場合に、当該端末装置３００ａが画像データを保存可能なフォルダ８０３を作成するとともに、当該フォルダ８０３を前記ネットワーク３００上で特定可能な送信先識別情報を前記複合機１００に送信する設定プログラムを前記ＵＳＢメモリ１２５に記憶させる設定プログラム制御手段４０２を備える。又、本発明の複合機１００は、前記設定プログラムの実行により前記端末装置３００ａから前記送信先識別情報を受信すると、当該送信先識別情報に対応する端末装置３００ａのフォルダ８０３を画像データの送信先と設定する送信先設定手段４０７と、前記端末装置３００ａから画像データの送信命令を受信すると、前記設定された端末装置３００ａのフォルダ８０３に画像データを送信する画像データ送信手段４０８とを備える。
【００８０】
これにより、ネットワークスキャンにおけるドライバやインストールプログラムを必要とすること無く、当該ネットワークスキャンの設定を簡単に行うことが可能となり、ユーザに対する利便性を向上させることが可能となる。
【００８１】
尚、本発明の実施形態では、前記設定プログラムを記憶させる記憶媒体（記憶メディア）をＵＳＢメモリ１２５としたが、これに限定する必要は無く、例えば、ＣＤ−ＲＯＭ、ＭＯ、ＭＤ、ＳＤメモリーカード、メモリースティック、マルチメディアカード（ＭＭＣ）、スマートメディア等であっても構わない。特に、前記記憶媒体は、ユーザに携帯可能な記憶媒体であると好ましい。
【００８２】
又、本発明では、ネットワーク３００を介して所定の複合機１００と、所定の端末装置３００ａとが通信可能に接続されたネットワークスキャンシステムとしても構わない。当該ネットワークスキャンシステムでは、前記複合機１００は、所定のＵＳＢメモリ１２５が自装置１００のＵＳＢ装着部１２６に装着されると、前記端末装置３００ａで実行された場合に、当該端末装置３００ａが画像データを保存可能なフォルダ８０３を作成するとともに、当該フォルダ８０３を前記ネットワーク３００上で特定可能な送信先識別情報を前記自装置に送信する設定プログラムを前記ＵＳＢメモリ１２５に記憶させる設定プログラム制御手段４０２と、前記設定プログラムの実行により前記端末装置３００ａから前記送信先識別情報を受信すると、当該送信先識別情報に対応する端末装置３００ａのフォルダ８０３を画像データの送信先と設定する送信先設定手段４０７と、前記端末装置３００ａから画像データの送信命令を受信すると、前記設定された端末装置３００ａのフォルダに画像データを送信する画像データ送信手段４０８とを備える。又、前記端末装置３００ａは、前記ＵＳＢメモリ１２５に記憶された設定プログラムが実行されると、前記フォルダ８０３を作成するとともに、前記複合機１００に前記送信先識別情報を送信する端末装置制御手段４０６を備える。このような構成であっても、上述と同様の効果を得ることが可能となる。
【００８３】
又、本発明の実施形態では、複合機１００が各手段を備えるよう構成したが、当該各手段を実現するプログラムを記憶媒体に記憶させ、当該記憶媒体を提供するよう構成しても構わない。当該構成では、前記プログラムを複合機１００に読み出させ、当該複合機１００が前記各手段を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００８４】
以上のように、本発明に係る画像処理装置及び画像処理方法は、複合機はもちろん、スキャナ、複写機、プリンタ、ファクシミリ送受信装置、通信装置等に有用であり、ネットワークスキャンにおけるドライバやインストールプログラムを必要とすること無く、当該ネットワークスキャンの設定を簡単に行うことが可能な画像処理装置及び画像処理方法として有効である。
【符号の説明】
【００８５】
１００  複合機
１０２  操作部
１２５  ＵＳＢメモリ
１２６  ＵＳＢ装着部
３００  ネットワーク
３００ａ  端末装置
３００ａ１  ＵＳＢ装着部
４０１  ＵＳＢ検知手段
４０２  設定プログラム制御手段
４０３  表示受付手段
４０４  設定プログラム記憶手段
４０５  ＵＳＢ記憶手段
４０６  端末装置制御手段
４０７  送信先設定手段
４０８  画像データ送信手段
【図１】
2014068201.tif 000003
【図２】
2014068201.tif 000004
【図３】
2014068201.tif 000005
【図４】
2014068201.tif 000006
【図５】
2014068201.tif 000007
【図６】
2014068201.tif 000008
【図７】
2014068201.tif 000009
【図８】
2014068201.tif 000010
【図９】
2014068201.tif 000011